(57)【要約】【課題】特別なディスプレイの準備を必要とせずに、ディスプレイに表示された画像の色をプリンタで正確に印刷することができる情報処理装置、画像印刷システム、及び画像印刷方法を提供する。【解決手段】システム１のＰＣ３は、所定の対象画像データで表される画像をプリンタ７に印刷させる際に、ＨＤＤ２３に保存された表示色プロファイルＰ１に基づいて、対象画像データに対応する表示画像の色度値を求め、ＨＤＤ２３に保存された印刷色プロファイルＰ２に基づいて、求められた上記色度値に対応する画像データを求め、求められたこの画像データをプリンタ７に送出する印刷制御部３９を備えている。【選択図】  図４
2008234325.tif 000002
【特許請求の範囲】
【請求項１】
画像データと、当該画像データをディスプレイに送出したときに当該ディスプレイで実際に表示される表示画像の色度値と、の相関関係を示す表示色プロファイルを格納する表示色プロファイル格納部と、
画像データと、当該画像データをプリンタに送出したときに当該プリンタで実際に印刷される印刷画像の色度値と、の相関関係を示す印刷色プロファイルを格納する印刷色プロファイル格納部と、
所定の対象画像データで表される画像を前記プリンタに印刷させる際に、
前記表示色プロファイル格納部に格納された前記表示色プロファイルに基づいて、前記対象画像データに対応する表示画像の色度値を求め、
前記印刷色プロファイル格納部に格納された前記印刷色プロファイルに基づいて、求められた前記色度値に対応する画像データを求め、
求められた前記画像データを前記プリンタに送出する印刷制御部と、
を備えたことを特徴とする情報処理装置。
【請求項２】
画像データと、当該画像データをディスプレイに送出したときに当該ディスプレイで実際に表示される表示画像の色度値と、の相関関係を示す表示色プロファイルを格納する表示色プロファイル格納部と、
画像データと、当該画像データをプリンタに送出したときに当該プリンタで実際に印刷される印刷画像の色度値と、の相関関係を示す印刷色プロファイルを格納する印刷色プロファイル格納部と、
所定の対象画像データで表される画像を前記プリンタに印刷させる際に、
前記表示色プロファイル格納部に格納された前記表示色プロファイルに基づいて、前記対象画像データに対応する表示画像の色度値を求め、
前記印刷色プロファイル格納部に格納された前記印刷色プロファイルに基づいて、求められた前記色度値に対応する画像データを求め、
求められた前記画像データを前記プリンタに送出する印刷制御部と、
を有する情報処理装置と、
前記情報処理装置からの画像データを受けて画像を画面表示するディスプレイと、
前記情報処理装置からの画像データを受けて画像を印刷するプリンタと、
前記ディスプレイに表示された表示画像の色度値を測定し前記情報処理装置に送出する測色計と、を備え、
前記情報処理装置は、
前記ディスプレイに送出している画像データと、前記測色計で測定された表示画像の色度値とを関連付けて前記表示色プロファイルを作成する表示色プロファイル作成手段を有することを特徴とする画像印刷システム。
【請求項３】
画像データと、当該画像データをディスプレイに送出したときに当該ディスプレイで実際に表示される表示画像の色度値と、の相関関係を示す表示色プロファイルを、情報処理装置の表示色プロファイル格納部に格納させる表示色プロファイル格納ステップと、
画像データと、当該画像データをプリンタに送出したときに当該プリンタで実際に印刷される印刷画像の色度値と、の相関関係を示す印刷色プロファイルを、前記情報処理装置の印刷色プロファイル格納部に格納させる印刷色プロファイル格納ステップと、
前記情報処理装置の印刷制御部が、所定の対象画像データで表される画像を前記プリンタに印刷させる際に、
前記表示色プロファイル格納部に格納された前記表示色プロファイルに基づいて、前記対象画像データに対応する表示画像の色度値を求め、
前記印刷色プロファイル格納部に格納された前記印刷色プロファイルに基づいて、求められた前記色度値に対応する画像データを求め、
求められた前記画像データを前記プリンタに送出する印刷制御ステップと、
を備えたことを特徴とする画像印刷方法。
【請求項４】
前記表示色プロファイルを作成する表示色プロファイル作成ステップを更に備え、
前記表示色プロファイル作成ステップは、
前記情報処理装置が、前記ディスプレイに画像データを送出して画像を表示させるステップと、
測色計が、前記ディスプレイに表示された表示画像の色度値を測定し前記情報処理装置に送出させるステップと、
情報処理装置が、前記ディスプレイに送出している画像データと、前記測色計で測定された表示画像の色度値とを関連付けて前記表示色プロファイルを作成するステップと、を有することを特徴とする請求項３に記載の画像印刷方法。
【発明の詳細な説明】
【技術分野】
【０００１】
本発明は、例えば、グラフィックデザインソフトでデザイナーが作成した画像をプリントアウトするのに利用される情報処理装置、画像印刷システム、及び画像印刷方法に関するものである。
【背景技術】
【０００２】
現在のグラフィックデザインでは、デザイナーがグラフィクデザインソフトを用いて、コンピュータに接続されたディスプレイモニタを見ながらデザイン作業を行うといった手法が多く用いられている。このような手法において、デザイナーがデザインに用いる画像の色を容易に選択できたり正確に指定できたりするように、例えば、特許文献１に示されたようなグラフィックデザイン支援用のシステムも多く存在する。
【特許文献１】特開２００２−０７４３８０号公報
【発明の開示】
【発明が解決しようとする課題】
【０００３】
しかしながら、このようなグラフィックデザインにおいては、デザインされた画像をプリンタで印刷したときに、印刷された色がディスプレイ上に表示された色と必ずしも一致しないという問題が存在している。従って、従来では、所望の画像印刷物を得ようとする際に、予め印刷された場合の色を推定しながら画像を編集するといったことが必要であった。
【０００４】
上記問題の原因としては、ディスプレイ又はプリンタの一方或いは両方において、「測色的色再現（正確な色再現）」とは異なるいわゆる「好ましい色再現」を実現するような色処理が、内部で独自に設定されていることが挙げられる。しかも、そのような設定が機器ごとに独立に行われており、かつ機器メーカから公開されていない場合が多いので、上記の設定の影響を除去することは難しい。更に、そのような設定がなされていない場合でも、ディスプレイ及びプリンタの測色的色再現が完全でなければ同様の問題が発生し得る。しかしながら、ディスプレイを厳密に調整することは、多くの時間と経費を必要とする。また、この場合、デザイナーは、使い慣れたディスプレイや使い慣れたディスプレイ設定を使用できなくなる場合もあり、デザイナーの負荷が大きい。
【０００５】
そこで、本発明は、特別なディスプレイの準備を必要とせずに、ディスプレイに表示された画像の色をプリンタで正確に印刷することができる情報処理装置、画像印刷システム、及び画像印刷方法を提供することを目的とする。
【課題を解決するための手段】
【０００６】
本発明の情報処理装置は、画像データと、当該画像データをディスプレイに送出したときに当該ディスプレイで実際に表示される表示画像の色度値と、の相関関係を示す表示色プロファイルを格納する表示色プロファイル格納部と、画像データと、当該画像データをプリンタに送出したときに当該プリンタで実際に印刷される印刷画像の色度値と、の相関関係を示す印刷色プロファイルを格納する印刷色プロファイル格納部と、所定の対象画像データで表される画像をプリンタに印刷させる際に、表示色プロファイル格納部に格納された表示色プロファイルに基づいて、対象画像データに対応する表示画像の色度値を求め、印刷色プロファイル格納部に格納された印刷色プロファイルに基づいて、求められた色度値に対応する画像データを求め、求められた画像データをプリンタに送出する印刷制御部と、を備えたことを特徴とする。
【０００７】
この情報処理装置には、画像データに基づく画像が実際にディスプレイに画面表示されるときの表示画像の色度値を示す表示色プロファイル、及び実際にプリンタで印刷されたときの印刷画像の色度値を示す印刷色プロファイルが格納されている。そして、情報処理装置が、印刷対象の画像データをプリンタで印刷しようとする際には、印刷制御部によって以下のような処理が行われる。まず、印刷制御部では、表示色プロファイルに基づいて、上記対象画像データに対応する表示画像の色度値が求められる。すなわち、ここでは、対象画像データに基づいてディスプレイに表示されているはずの真の色度値が得られる。次に、印刷色プロファイルに基づいて、上記の真の色度値に対応する画像データが求められる。ここでは、上記の真の色度値を印刷画像で得るために、プリンタに送出すべき画像データが求められる。そして、求められたこの画像データが印刷制御部によりプリンタに送出されるので、プリンタでは、上記真の色度値を持つ印刷画像が印刷される。従って、この情報処理装置では、ディスプレイ上に画面表示された表示画像と同じ色度値の印刷画像を、プリンタで印刷させることができる。また、この情報処理装置では、ディスプレイの画面表示特性の影響及びプリンタの印刷特性の影響を打ち消すようにプリンタに送出すべき画像データが求められている。従って、特別なディスプレイの準備をしなくても、上記のような印刷を実現することができる。
【０００８】
本発明の画像印刷システムは、画像データと、当該画像データをディスプレイに送出したときに当該ディスプレイで実際に表示される表示画像の色度値と、の相関関係を示す表示色プロファイルを格納する表示色プロファイル格納部と、画像データと、当該画像データをプリンタに送出したときに当該プリンタで実際に印刷される印刷画像の色度値と、の相関関係を示す印刷色プロファイルを格納する印刷色プロファイル格納部と、所定の対象画像データで表される画像をプリンタに印刷させる際に、表示色プロファイル格納部に格納された表示色プロファイルに基づいて、対象画像データに対応する表示画像の色度値を求め、印刷色プロファイル格納部に格納された印刷色プロファイルに基づいて、求められた色度値に対応する画像データを求め、求められた画像データをプリンタに送出する印刷制御部と、を有する情報処理装置と、情報処理装置からの画像データを受けて画像を画面表示するディスプレイと、情報処理装置からの画像データを受けて画像を印刷するプリンタと、ディスプレイに表示された表示画像の色度値を測定し情報処理装置に送出する測色計と、を備え、情報処理装置は、ディスプレイに送出している画像データと、測色計で測定された表示画像の色度値とを関連付けて表示色プロファイルを作成する表示色プロファイル作成手段を有することを特徴とする。
【０００９】
このシステムの情報処理装置には、画像データに基づく画像が実際にディスプレイに画面表示されるときの表示画像の色度値を示す表示色プロファイル、及び実際にプリンタで印刷されたときの印刷画像の色度値を示す印刷色プロファイルが格納されている。そして、この情報処理装置が、印刷対象の画像データをプリンタで印刷しようとする際には、印刷制御部によって以下のような処理が行われる。まず、印刷制御部では、表示色プロファイルに基づいて、上記対象画像データに対応する表示画像の色度値が求められる。すなわち、ここでは、対象画像データに基づいてディスプレイに表示されているはずの真の色度値が得られる。次に、印刷色プロファイルに基づいて、上記の真の色度値に対応する画像データが求められる。ここでは、上記の真の色度値を印刷画像で得るために、プリンタに送出すべき画像データが求められる。そして、求められたこの画像データが印刷制御部によりプリンタに送出されるので、プリンタでは、上記真の色度値を持つ印刷画像が印刷される。従って、このシステムでは、ディスプレイ上に画面表示された表示画像と同じ色度値の印刷画像を、プリンタで印刷させることができる。また、このシステムの情報処理装置では、ディスプレイの画面表示特性の影響及びプリンタの印刷特性の影響を打ち消すようにプリンタに送出すべき画像データが求められている。従って、特別なディスプレイの準備をしなくても、上記のような印刷を実現することができる。
【００１０】
更に、このシステムでは、情報処理装置からの画像データの送出によって表示画像をディスプレイに表示させ、測色計で表示画像の色度値を測定して、情報処理装置に測定した色度値を送出させることができる。そして、情報処理装置では、このとき送出した画像データと、測色計からの色度値を関連づけることで、表示色プロファイルを作成することができる。このような構成により、ディスプレイの経時的な変化や調整不調などで画面表示の色が変化した場合にも、その変化に合わせて表示色プロファイルをメンテナンスすることができる。
【００１１】
本発明の画像印刷方法は、画像データと、当該画像データをディスプレイに送出したときに当該ディスプレイで実際に表示される表示画像の色度値と、の相関関係を示す表示色プロファイルを、情報処理装置の表示色プロファイル格納部に格納させる表示色プロファイル格納ステップと、画像データと、当該画像データをプリンタに送出したときに当該プリンタで実際に印刷される印刷画像の色度値と、の相関関係を示す印刷色プロファイルを、情報処理装置の印刷色プロファイル格納部に格納させる印刷色プロファイル格納ステップと、情報処理装置の印刷制御部が、所定の対象画像データで表される画像をプリンタに印刷させる際に、表示色プロファイル格納部に格納された表示色プロファイルに基づいて、対象画像データに対応する表示画像の色度値を求め、印刷色プロファイル格納部に格納された印刷色プロファイルに基づいて、求められた色度値に対応する画像データを求め、求められた画像データをプリンタに送出する印刷制御ステップと、を備えたことを特徴とする。
【００１２】
この画像印刷方法では、画像データに基づく画像が実際にディスプレイに画面表示されるときの表示画像の色度値を示す表示色プロファイル、及び実際にプリンタで印刷されたときの印刷画像の色度値を示す印刷色プロファイルが、情報処理装置に格納される。そして、情報処理装置が、印刷対象の画像データをプリンタで印刷しようとする際には、印刷制御部によって以下のような処理が行われる。まず、印刷制御部では、表示色プロファイルに基づいて、上記対象画像データに対応する表示画像の色度値が求められる。すなわち、ここでは、対象画像データに基づいてディスプレイに表示されているはずの真の色度値が得られる。次に、印刷色プロファイルに基づいて、上記の真の色度値に対応する画像データが求められる。ここでは、上記の真の色度値を印刷画像で得るために、プリンタに送出すべき画像データが求められる。そして、求められたこの画像データが印刷制御部によりプリンタに送出されるので、プリンタでは、上記真の色度値を持つ印刷画像が印刷される。従って、この画像印刷方法では、ディスプレイ上に画面表示された表示画像と同じ色度値の印刷画像を、プリンタで印刷させることができる。また、情報処理装置では、ディスプレイの画面表示特性の影響及びプリンタの印刷特性の影響を両方とも打ち消すようにプリンタに送出すべき画像データが求められている。従って、特別なディスプレイの準備をしなくても、上記のような印刷を実現することができる。
【００１３】
本発明の画像印刷方法は、表示色プロファイルを作成する表示色プロファイル作成ステップを更に備え、表示色プロファイル作成ステップは、情報処理装置が、ディスプレイに画像データを送出して画像を表示させるステップと、測色計が、ディスプレイに表示された表示画像の色度値を測定し情報処理装置に送出させるステップと、情報処理装置が、ディスプレイに送出している画像データと、測色計で測定された表示画像の色度値とを関連付けて表示色プロファイルを作成するステップと、を有してもよい。
【００１４】
この場合、この画像印刷方法の表示色プロファイル作成ステップでは、情報処理装置からの画像データの送出によって表示画像をディスプレイに表示させ、測色計で表示画像の色度値を測定して、情報処理装置に測定した色度値を送出させることができる。そして、情報処理装置では、このとき送出した画像データと、測色計からの色度値を関連づけることで、表示色プロファイルを作成することができる。このような構成により、ディスプレイの経時的な変化や調整不調などで画面表示の色が変化した場合にも、表示色プロファイル作成ステップを行い、上記変化に合わせて表示色プロファイルをメンテナンスすることができる。
【発明の効果】
【００１５】
本発明の情報処理装置、画像印刷システム、及び画像印刷方法によれば、特別なディスプレイの準備を必要とせずに、ディスプレイに表示された画像の色をプリンタで正確に印刷することができる。
【発明を実施するための最良の形態】
【００１６】
以下、図面を参照しつつ本発明に係る情報処理装置、画像印刷システム、及び画像印刷方法の好適な実施形態について詳細に説明する。
【００１７】
図１に示すグラフィックデザイン支援システム（画像印刷システム）１は、デザイナーがグラフィックデザイン画像を作成する際に利用されるものである。このシステム１は、パーソナルコンピュータ（情報処理装置）３と、そのパーソナルコンピュータ（ＰＣ）３に接続されたディスプレイ５、プリンタ７、及び測色計９とを備えている。
【００１８】
上記ＰＣ３には、画像を編集するためのグラフィックデザインソフトがインストールされている。このグラフィックデザインソフトは公知のものであり、このシステム１を使用するデザイナーは、ＰＣ３上でグラフィックデザインソフトを実行させることで、キーボード３ａ及びマウス３ｂを操作して、ディスプレイ５の画面表示を見ながらデザイン画像を作成する。また、デザイナーは、所定の操作によって、作成したデザイン画像をプリンタ７で印刷させることも可能である。なお、このプリンタ７としては、色域がディスプレイ５と同等のもの又はディスプレイ５よりも広いものが用いられる。
【００１９】
このような画像の印刷の際、一般に、ディスプレイに表示される編集中の画像と、プリンタ用紙に印刷された画像とでは、画像の色が完全に一致しない場合が多い。ディスプレイ５の表示画像の色とプリンタ７の印刷画像の色とが異なると、デザイナーは、デザインの確認や伝達等を円滑に行うことができず、システム運用の利便性に欠ける。従って、ディスプレイ５の表示画像の色と、プリンタ７の印刷画像の色とは、完全に一致することが望まれる。
【００２０】
そこで、このシステム１は、ディスプレイ５の表示画像の色と、プリンタ７の印刷画像の色とを一致させるべく構築されたものである。以下、このような印刷を実現するためのシステム１の構成について説明する。
【００２１】
まず、ＰＣ３のハードディスク（ＨＤＤ）２３（図２，図４参照）には、プリンタ７の固有の特性を表す印刷色プロファイルＰ２が格納されている。この印刷色プロファイルＰ２は、ＰＣ３からプリンタ７に入力される画像データの階調値（入力階調値）と、入力された画像データに基づいてプリンタ用紙に印刷される実際の画像の色度値（印刷画像色信号値）との相関関係を表したものである。
【００２２】
この印刷色プロファイルＰ２は、以下のようなプリンタ校正作業で作成される。まず、ＰＣ３から送出する画像データを変えながら、プリンタ７で多種類の色見本をプリンタ用紙上に印刷する。そして、各々の色見本の色度値を、ＰＣ３に接続された反射光用の測色計で測定し、測定したこの色度値を、プリンタ７に入力させた画像データの階調値に関連付けた印刷色プロファイルＰ２を作成していく。このような作業により、印刷色プロファイルＰ２が事前に準備され、データベースファイルとして予めＨＤＤ２３に保存されている。
【００２３】
続いて、システム１では、グラフィックデザインソフトを用いたデザイン作業に先だって、「表示色プロファイル」を作成するためのプロファイル作成支援ソフトが実行される。「表示色プロファイル」とは、システム１で使用するディスプレイ５の固有の画面表示特性を表すものであり、ＰＣ３からこのディスプレイ５に入力される画像データの階調値（入力階調値）と、入力された画像データに基づいてディスプレイ５に画面表示される実際の画像の色度値（出力画像色信号値）との相関関係を表したものである。
【００２４】
このプロファイル作成支援ソフトの実行時において、図１〜図３に示すように、ＰＣ３のプロファイル処理部１７は、画面表示制御部１９を通じて階調値（ＲＧＢ）１の画像データを送出し、ディスプレイ５で１色からなる画像を表示させる（Ｓ３０２）。なお、詳細は後述するが、上記プロファイル処理部１７及び画面表示制御部１９は、一部又は全部がソフトウェア的に実現される機能的な構成要素である。上記画像が表示された状態で、システム１のユーザが、ディスプレイ５の画面に測色計９のプローブ９ａ（図１参照）を当てて、画面上に表示された画像のＸＹＺ色度値（ＸＹＺ）１を測定する（Ｓ３０４）。この測定値は、測色計９からＰＣ３に入力される。また、このとき、画像の数カ所にプローブ９ａを当てて測定値の平均を取れば、より正確な情報を収集することができる。
【００２５】
次に、プロファイル処理部１７は、階調値（ＲＧＢ）１と測色計９から得られた色度値（ＸＹＺ）１とを関連付けてメモリ２１に記憶させる（Ｓ３０６）。続いて、プロファイル処理部１７は、送出する画像データを変えてＳ３０２からの処理を繰り返す。すなわち、プロファイル処理部１７は、画面表示制御部１９を通じて次の階調値（ＲＧＢ）２の画像データを送出し、ディスプレイ５で画像を表示させる（Ｓ３０２）。そして、上記同様の処理により、階調値（ＲＧＢ）２と測色計９から得られた色度値（ＸＹＺ）２とを関連付けてメモリ２１に記憶させる（Ｓ３０４，Ｓ３０６）。
【００２６】
以上のような測定を、（ＲＧＢ）１〜（ＲＧＢ）ｎについて所定回数ｎ回繰り返せば（Ｓ３０８）、ディスプレイ５における入力階調値（ＲＧＢ）ｉと、出力画像色信号値（ＸＹＺ）ｉとの相関関係を示すカーブ（Tone Reproduction Curve）が得られる。その後、プロファイル処理部１７は、得られた上記ｎ組の相関関係を、表示色プロファイルＰ１としてＨＤＤ２３に書き込み、データベースファイルとして保存させる（Ｓ３１０）。
【００２７】
なお、このような表示色プロファイルＰ１を、ディスプレイ５の導入直後に作成するだけでなく、定期的に更新してもよく、また、本システム１によるデザイン作業を開始する前に毎回更新してもよい。また、上記の手法では、階調値（ＲＧＢ）１〜（ＲＧＢ）ｎの１色の画像データを１つずつ順次ディスプレイ５に表示させているが、他の方法として、例えば、階調値（ＲＧＢ）１〜（ＲＧＢ）ｎの画像データを組み合わせたカラーチャートを１画面で表示させてもよい。また、測色計９としては、例えば、ディスプレイ測色計など光源用の測色計を好適に用いることができる。
【００２８】
次に、図４及び図５を参照し、グラフィックデザインソフトの実行時におけるシステム１の動作について説明する。
【００２９】
まず、このグラフィックデザインソフトの実行時におけるシステム１の機能的な構成について説明する。図４に示すように、ＰＣ３のグラフィック処理部３５は、デザイナーによるキーボード３ａ及びマウス３ｂの操作に対応して、メモリ３１上の画像データを編集する。また、グラフィック処理部３５は、上記画像データを、画面表示制御部１９を通じてディスプレイ５に送出し、画像を画面表示させる。また、グラフィック処理部３５は、キーボード３ａ及びマウス３ｂの印刷操作に対応して、メモリ３１上の画像データを、印刷制御部３９を通じてプリンタ７に送出し、画像をプリンタ用紙に印刷させる。なお、詳細は後述するが、上記グラフィック処理部３５、画面表示制御部１９、及び印刷制御部３９は、一部又は全部がソフトウェア的に実現される機能的な構成要素である。
【００３０】
この印刷時においては、ディスプレイ５上に表示された画像と同じ色の画像を印刷すべく、上述の表示色プロファイルＰ１及び印刷色プロファイルＰ２を利用して以下のような処理を行っている。
【００３１】
図４に示すように、デザイナーがデザイン画像を完成した時点では、メモリ３１には、画像データαが格納されている（Ｓ５０２）。この画像データαの色は、ＲＧＢ表色系の階調データとして表され、この画像データαの階調値を（ＲＧＢ）ｄとする。ここで、デザイナーが所定の操作を行うと、グラフィック処理部３５が、画像データαの印刷指示を印刷制御部３９に送出する（Ｓ５０４）。
【００３２】
次に、印刷制御部３９では、ＨＤＤ２３に保存された表示色プロファイルＰ１が参照され、当該プロファイルＰ１上で入力階調値（ＲＧＢ）ｄに関連付けられた出力画像色信号値が検索される（Ｓ５０６）。ここで検索された出力画像色信号値を（ＸＹＺ）ｃとする。次に、印刷制御部３９は、ＸＹＺ色表系の出力画像色信号値（ＸＹＺ）ｃを、ＲＧＢ色表系で表すためにＸＹＺ−ＲＧＢ変換し、出力画像色信号値（ＲＧＢ）ｃｃとする（Ｓ５０８）。ここで、出力画像色信号値（ＲＧＢ）ｃｃの意味を考えると、（ＲＧＢ）ｃｃは、階調値（ＲＧＢ）ｄの画像データαが、ＰＣ３からディスプレイ５に送出された場合に、実際にディスプレイ５上に表示される表示画像のＲＧＢ色信号値を表している。
【００３３】
続いて、印刷制御部３９では、ＨＤＤ２３に保存された印刷色プロファイルＰ２が参照され、当該プロファイルＰ２上で印刷画像色信号値（ＲＧＢ）ｃｃに関連付けられた入力階調値が検索される（Ｓ５１０）。検索されたこの入力階調値を（ＲＧＢ）ｐとする。ここで、入力階調値（ＲＧＢ）ｐの意味を考えると、（ＲＧＢ）ｐは、色信号値（ＲＧＢ）ｃｃの画像をプリンタ７で印刷させるために、プリンタ７に送出すべき画像データのＲＧＢ階調値を表している。
【００３４】
次に、印刷制御部３９が階調値（ＲＧＢ）ｐの画像データβをプリンタ７に送出し（Ｓ５１２）、プリンタ７では、画像データβに基づいて、色信号値（ＸＹＺ）ｐｃの画像がプリンタ用紙４１上に印刷される（Ｓ５１４）。
【００３５】
以上の通り、印刷制御部３９は、Ｓ５０６〜Ｓ５１２の処理によって、グラフィック処理部３５から入力された階調値（ＲＧＢ）ｄの画像データαを、表示色プロファイルＰ１及び印刷色プロファイルＰ２に基づいて、階調値（ＲＧＢ）ｐの画像データβに変換している。このとき、印刷制御部３９では、まず、表示色プロファイルＰ１が参照され、画像データαに基づいてディスプレイ５に実際に表示されている画像の真の色信号値（ＸＹＺ）ｃが得られる。次に、印刷色プロファイルＰ２が参照されて、上記の真の色信号値（ＸＹＺ）ｃの画像を印刷するためにプリンタ７に送出すべき画像データβが求められる。そして、求められたこの画像データβがプリンタ７に送出されるので、プリンタでは、上記真の色信号値（ＸＹＺ）ｃを持つ印刷画像が印刷される。
【００３６】
従って、上記処理Ｓ５０２〜Ｓ５１４が印刷制御部３９で正常に行われると、最終的にプリンタ用紙４１に印刷物として得られた画像の色信号値（ＸＹＺ）ｐｃは、上述したディスプレイ５上の表示画像の色信号値（ＸＹＺ）ｃに等しくなる。以上の結果、デザイナーが、作成したデザイン画像を印刷した際には、ディスプレイ５上に表示されているデザイン画像の色と同じ色の画像がプリンタ用紙に印刷される。
【００３７】
続いて、図２及び図４で示した機能的な各構成要素を実現するための、システム１のハードウェア構成について説明する。図６に示すように、システム１のＰＣ３は、物理的には、ＣＰＵ５１、ＲＡＭ５３、ＨＤＤ２３、及びキーボード３ａ・マウス３ｂといった入力装置を備えている。更にＰＣ３は、グラフィックコントローラ５５と、プリンタ７や測色計９との外部バス経由の通信を制御する外部バスコントローラ５７とを備えている。これら各装置は、内部バス５９を介して相互に各種信号の入出力が可能な様に電気的に接続されている。
【００３８】
そして、上述のプロファイル処理部１７（図２参照）は、ＣＰＵ５１がプロファイル作成支援ソフトを実行することで実現され、画面表示制御部１９はＣＰＵ５１で実行されるＯＳ（オペレーションシステム）のディスプレイ制御機能とグラフィックコントローラ５５との協働で実現される。また、グラフィック処理部３５（図４参照）は、ＣＰＵ５１がグラフィックデザインソフトを実行することで実現され、印刷制御部（図４参照）３９は、ＣＰＵ５１で実行されるＯＳのプリンタ制御機能と外部バスコントローラ５７との協働で実現される。メモリ２１，３１（図２，図４参照）は、ＲＡＭ５３により実現される。
【００３９】
以上説明したようなグラフィックデザイン支援システム１によれば、ディスプレイ５上に画面表示された表示画像を、同一の色の印刷画像として再現すること（測色的色再現）ができる。また、このシステム１のＰＣ３では、ディスプレイ５の画面表示特性の影響及びプリンタ７の印刷特性の影響を両方とも打ち消すようにプリンタ７に送出すべき画像データが求められている。従って、特別な特性をもつディスプレイや特別なディスプレイの設定を準備せずに、上記のような印刷を実現することができる。
【００４０】
また、このシステム１は、ＰＣ３、ディスプレイ５、及びプリンタ７のそれぞれ固有の特性に影響されずに、上記作用効果を奏することができるので、高価な装置を準備する必要もなく、デザイナーが使い慣れた通常のＰＣ、ディスプレイ、及びディスプレイ設定を、システム１に適用することができる。また、グラフィックデザインソフトの固有の特性にも影響されないので、デザイナーは、使い慣れたデザインソフトを選択することができる。従って、デザイナーにとっても当該システム１を導入する際の負担が小さい。また、このシステム１では、すでに蓄積されているデザイナーの作品をそのまま任意に使うことができる。
【００４１】
また、このシステム１では、プロファイル作成支援ソフトにより、表示色プロファイルを作成することができる。従って、このシステム１のユーザが、ディスプレイ５の経時的な変化や調整不調などで画面表示の色が変化した場合にも、その変化に合わせて表示色プロファイルＰ１をメンテナンスすることができる。
【図面の簡単な説明】
【００４２】
【図１】本発明に係るグラフィックデザイン支援システムの一実施形態を示す斜視図である。
【図２】プロファイル作成支援ソフト実行時における図１のシステムの機能的な構成を示すブロック図である。
【図３】プロファイル作成支援ソフト実行時における図１のシステムの処理を示すフローチャートである。
【図４】グラフィックデザインソフト実行時における図１のシステムの機能的な構成を示すブロック図である。
【図５】画像印刷における図１のシステムの処理を示すフローチャートである。
【図６】図１のシステムのハードウェア構成を示すブロック図である。
【符号の説明】
【００４３】
１…グラフィックデザイン支援システム（画像印刷システム）、３…パーソナルコンピュータ（情報処理装置）、５…ディスプレイ、７…プリンタ、９…測色計、２３…ＨＤＤ（表示色プロファイル格納部、印刷色プロファイル格納部）、３９…印刷制御部、Ｐ１…表示色プロファイル、Ｐ２…印刷色プロファイル。
【図１】
2008234325.tif 000003
【図２】
2008234325.tif 000004
【図３】
2008234325.tif 000005
【図４】
2008234325.tif 000006
【図５】
2008234325.tif 000007
【図６】
2008234325.tif 000008